(57)【要約】【課題】  開閉側枠体を閉じる作業を容易にすることが出来ると共に、開閉側枠体を閉じたときに開閉側枠体と固定側枠体の間に形成される隙間を小さくすることが出来る、新規な構造のパチンコ機を提供することを、目的とする。【解決手段】  固定側枠体１４と開閉側枠体１８のうち何れか一方の下側横縁部３４にローラ３６を取り付けると共に、固定側枠体１４と開閉側枠体１８のうち他方の下側横縁部７４に隙間縮小部８２を設けた。【選択図】      図７
2006325710.tif 000002
【特許請求の範囲】
【請求項１】
遊技ホールに設けられた島設備の側に固定される固定側枠体と、
該固定側枠体の左右一方の縦縁部にヒンジ連結されて開閉可能に組み付けられており、閉じた状態においてその下側横縁部が該固定側枠体の下側横縁部に対して直上に位置する開閉側枠体と、
前記固定側枠体と前記開閉側枠体のうち何れか一方の下側横縁部に取り付けられると共に、それら固定側枠体と開閉側枠体の他方の下側横縁部に向って突出し、該開閉側枠体の開閉途中において該他方の下側横縁部が有する案内面に対して接触することで該開閉側枠体を案内するローラと、
前記他方の下側横縁部において、前記案内面よりも前記開閉側枠体の閉方向側に位置して設けられ、前記ローラの高低位置を該ローラが前記案内面に接触した状態とは異ならせることで、該開閉側枠体の開閉途中で該ローラが該案内面と接触した状態よりも該開閉側枠体を閉じた状態において前記一方の下側横縁部と該他方の下側横縁部との高低差を小さくする隙間縮小部と
を、備えていることを特徴とするパチンコ機。
【請求項２】
前記案内面において少なくとも前記隙間縮小部側の領域は、前記開閉側枠体の開閉時に該案内面と該隙間縮小部との間を移動する前記ローラの高低位置を徐々に変更するための傾斜面よりなっている請求項１に記載のパチンコ機。
【請求項３】
前記ローラが鉛直方向に変位可能に取り付けられていると共に、かかる鉛直方向で該ローラを突出方向に付勢する付勢手段が設けられている請求項１又は２に記載のパチンコ機。
【発明の詳細な説明】
【技術分野】
【０００１】
本発明は、遊技ホールに設けられた島設備に固定される固定側枠体の左右一方の縦縁部にヒンジ連結されて開閉可能に配された開閉側枠体を備えているパチンコ機に関するものである。
【背景技術】
【０００２】
パチンコ機は、メンテナンス等のために、遊技ホールに設けられた島設備に固定される固定側枠体としての外枠に対して開閉側枠体としての中枠が開閉式にヒンジ連結されている。しかしながら、遊技盤や遊技球の重量が大きいことから、中枠が重力で下がってしまうことが避けられない。それ故、中枠を外枠に対して閉じる際、下端縁が当たってしまうのを避けるために、中枠を作業者が持ち上げつつ閉める必要がある。
【０００３】
ところが、中枠が開く側には、遊技者が座る椅子があり、場合によっては、遊技者が居たりすることがあるため、その作業が困難であるという問題がある。また、中枠を勢い良く閉じると、その衝撃によって遊技盤に装着された各種装置に悪影響を及ぼすおそれもある。
【０００４】
そこで、中枠の下端にガイド用のローラを設けたパチンコ機が提案されている（特許文献１参照）。しかしながら、ローラは、ガイド作用を為すために、必然的に、中枠の下端面よりも下方に突出してしまう。そのために、中枠を閉じた状態で、中枠と外枠の間に比較的に大きな隙間が発生することが避けられない。そして、この隙間は、デザイン上好ましくないばかりか、例えば隙間から工具を差し込み扉を開錠してしまうようなゴト行為の危険に晒されるおそれもある。
【０００５】
また、近年のパチンコ機には、中枠に対して開閉式にヒンジ連結されたガラス扉に多数の電飾ランプを取り付けたものもあり、従来よりもガラス扉が重くなってきている。これは、技術の進歩により、これまで中枠に取り付けられていた部品等がガラス扉に取り付けられてきていることに起因する。そうすると、ガラス扉は、今後も重くなってゆくことが予想される。そこで、ガラス扉にも、特許文献１に記載の如きローラを取り付けることが考えられるが、中枠の場合と同様に、ゴト行為の危険に晒されるおそれがある。
【０００６】
【特許文献１】実開平３−４６３８７号公報
【発明の開示】
【発明が解決しようとする課題】
【０００７】
ここにおいて、本発明は、上述の如き事情を背景として為されたものであり、その解決課題とするところは、開閉側枠体を閉じる作業を容易にすることが出来ると共に、開閉側枠体を閉じたときに開閉側枠体と固定側枠体の間に形成される隙間を小さくすることが出来る、新規な構造のパチンコ機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いは、それらの記載から当業者が把握することが出来る発明思想に基づいて認識されるものであることが理解されるべきである。
【０００９】
パチンコ機に関する本発明の第一の態様は、（ａ）遊技ホールに設けられた島設備の側に固定される固定側枠体と、（ｂ）該固定側枠体の左右一方の縦縁部にヒンジ連結されて開閉可能に組み付けられており、閉じた状態においてその下側横縁部が該固定側枠体の下側横縁部に対して直上に位置する開閉側枠体と、（ｃ）前記固定側枠体と前記開閉側枠体のうち何れか一方の下側横縁部に取り付けられると共に、それら固定側枠体と開閉側枠体の他方の下側横縁部に向って突出し、該開閉側枠体の開閉途中において該他方の下側横縁部が有する案内面に対して接触することで該開閉側枠体を案内するローラと、（ｄ）前記他方の下側横縁部において、前記案内面よりも前記開閉側枠体の閉方向側に位置して設けられ、前記ローラの高低位置を該ローラが前記案内面に接触した状態とは異ならせることで、該開閉側枠体の開閉途中で該ローラが該案内面と接触した状態よりも該開閉側枠体を閉じた状態において前記一方の下側横縁部と該他方の下側横縁部との高低差を小さくする隙間縮小部とを、備えていることを、特徴とする。
【００１０】
このような本態様に従う構造とされたパチンコ機においては、固定側枠体と開閉側枠体のうち何れか一方の下側横縁部にローラが取り付けられていることから、開閉側枠体を閉じる際、固定側枠体と開閉側枠体のうち他方の下側横縁部にローラが当接することに伴う反力が開閉側枠体を固定側枠体に対して持ち上げる方向に作用せしめられることとなる。これにより、開閉側枠体を閉じる際に、開閉側枠体を持ち上げる力が軽減され、或いは、不要とされる。その結果、開閉側枠体を閉じる作業を容易に且つスムーズに行うことが可能となる。
【００１１】
そこにおいて、本態様では、開閉側枠体の開閉途中でローラが他方の下側横縁部における案内面と接触した状態よりも開閉側枠体を閉じた状態において開閉側枠体の下側横縁部と固定側枠体の下側横縁部との高低差を小さくする隙間縮小部が、固定側枠体と開閉側枠体のうち他方の下側横縁部において、案内面よりも開閉側枠体の閉方向側に位置して設けられていることから、ローラの突出量と隙間縮小部の深さ寸法を好適に設定することにより、開閉側枠体を閉じた状態で開閉側枠体の下側横縁部と固定側枠体の下側横縁部の間に形成される隙間を小さくすることが可能となる。
【００１２】
なお、本態様において、隙間縮小部の深さ寸法は、ローラの突出量と略同じか、それもよりも深いことが望ましく、それによって、開閉側枠体を閉じた状態で固定側枠体の下側横縁部と開閉側枠体の下側横縁部の間に形成される隙間を小さくすることを有利に実現できる。
【００１３】
また、本態様において、ローラは、ＡＢＳ等の合成樹脂材料で形成することも可能ではあるが、天然ゴムや合成ゴム，或いは、それらをブレンドしたもの等のゴム材料によって形成したり、或いは、このようなゴム材料によって表面を覆うことが望ましい。これにより、開閉側枠体を閉めた際の衝撃、即ち、固定側枠体と開閉側枠体の他方にローラが当接した際の衝撃をローラの弾性を利用して緩和することが可能となる。
【００１４】
更にまた、本態様において、固定側枠体とは、遊技ホールの島設備から動かすことが出来ないように完全に固定されるもののみならず、遊技ホールの島設備に固定されるが動かすことも可能なものも含まれる。
【００１５】
また、本態様において、ローラの取付位置は、開閉側枠体の左右方向中央よりもヒンジ連結されているほうとは反対側にあることが望ましく、特にヒンジ連結されているほうとは反対側の端部近くにあるのが良い。これにより、開閉側枠体の左右方向でローラが取り付けられている位置と固定側枠体にヒンジ連結されている部分との離隔距離を大きく確保することが可能となる。その結果、開閉側枠体を閉じる際に開閉側枠体に加える力が小さくても、開閉側枠体を固定側枠体に対して持ち上げる方向に作用する当接反力を有利に得ることが可能となる。
【００１６】
更にまた、本態様において、「前記ローラの高低位置を該ローラが前記案内面に接触した状態とは異ならせる」とは、ローラの下側横縁部への当接による開閉側枠体の持ち上げ量を小さくしたり、或いは、なくしたりすることをいい、例えば、ローラを逃がす方向に傾斜する傾斜面や、ローラが当接しないようにする段差や凹所，切欠等を利用することによって、有利に実現される。
【００１７】
パチンコ機に関する本発明の第二の態様は、前記第一の態様に係るパチンコ機において、前記案内面において少なくとも前記隙間縮小部側の領域は、前記開閉側枠体の開閉時に該案内面と該隙間縮小部との間を移動する前記ローラの高低位置を徐々に変更するための傾斜面よりなっていることを、特徴とする。このような本態様に従う構造とされたパチンコ機においては、ローラが傾斜面を下ってから隙間縮小部に位置せしめられるようになっていることから、ローラが案内面を通って隙間縮小部に位置せしめられるまでの過程において衝撃の発生を有利に回避することが可能となる。
【００１８】
パチンコ機に関する本発明の第三の態様は、前記第一又は第二の態様に係るパチンコ機において、前記ローラが鉛直方向に変位可能に取り付けられていると共に、かかる鉛直方向で該ローラを突出方向に付勢する付勢手段が設けられていることを、特徴とする。このような本態様に従う構造とされたパチンコ機においては、ローラが鉛直方向に変位可能に取り付けられていることから、例えば、ローラが開閉側枠体の下側横縁部に取り付けられている場合において、開閉側枠体の開閉方向でのローラの突出量を小さくすることが可能となる。これにより、ローラが作業者の作業の邪魔になり難いようにすることが可能となる。
【００１９】
また、本態様では、付勢手段によって、ローラが突出方向に付勢されるようになっていることから、付勢手段による付勢力の大きさを適当に設定しておくことにより、固定側枠体と開閉側枠体のうち他方の下側横縁部にローラが当接することに伴う反力が開閉側枠体を固定側枠体に対して持ち上げる方向に作用せしめられた際、ローラが付勢手段の付勢力に抗して突出方向と反対側に変位せしめられることとなる。その結果、固定側枠体と開閉側枠体のうち他方の下側横縁部にローラが当接した際の衝撃を緩和することが可能となる。
【発明の効果】
【００２０】
上述の説明から明らかなように、本発明に従う構造とされたパチンコ機においては、開閉側枠体と固定側枠体の何れか一方の下側横縁部においてローラが取り付けられていると共に、それら開閉側枠体と固定側枠体の他方の下側横縁部においてローラの高低位置をローラが案内面に接触した状態とは異ならせる隙間縮小部が設けられていることから、開閉側枠体を閉じる作業を容易にしつつ、開閉側枠体を閉じた状態で開閉側枠体の下側横縁部と固定側枠体の下側横縁部の間に形成される隙間を小さくすることが可能となる。
【発明を実施するための最良の形態】
【００２１】
以下、本発明を更に具体的に明らかにするために、本発明の実施形態について、図面を参照しつつ、詳細に説明する。
【００２２】
図１には、本発明の一実施形態としてのパチンコ機１０が示されており、図２には、かかるパチンコ機１０が遊技ホールの島設備１２に設置された状態が示されている。なお、図２においては、遊技者が座る椅子等の図示は省略している。
【００２３】
このパチンコ機１０は、機体の外郭を為す固定側枠体としての外枠１４が島設備１２に固定されることで、島設備１２に設置されるようになっている。そして、図３にも示されているように、外枠１４の左側縦縁部１６に対して、開閉側枠体としての中枠１８がヒンジ連結されて開閉可能に配設されている。
【００２４】
また、中枠１８には、図３にも示されているように、その裏側において、遊技盤２０や賞球タンク２２，賞球レール２４等、パチンコ遊技において必要な部品の殆どが取り付けられている。更にまた、中枠１８の前側には、遊技盤２０に形成された遊技領域２６を透視保護するためのガラス板が保持されたガラス扉２８と、上皿３０が設けられた皿板３２が、それぞれ、左側の縦縁部にヒンジ連結されて、開閉可能に配設されている。
【００２５】
そこにおいて、本実施形態では、中枠１８の下側横縁部３４における右側端部（自由端）のほうにローラ３６が取り付けられている。より詳細には、ローラ３６は、図４及び図５にも示されているように、天然ゴムや合成ゴム，天然ゴムと合成ゴムをブレンドしたもの等、従来から公知のゴム材料によって形成されており、全体として、厚肉の円環ブロック形状を呈している。なお、ローラ３６をＡＢＳ等の従来から公知の合成樹脂材料によって形成することも、勿論可能である。
【００２６】
更にまた、ローラ３６の中心孔３８には、ＡＢＳ等の合成樹脂材によって形成されたローラ軸４０が挿通固定されている。そこにおいて、ローラ軸４０の中心孔３８への挿通固定は、接着剤を利用することによって、或いは、ローラ軸４０の外径寸法を中心孔３８の内径寸法よりも大きくしてローラ３６の弾性を利用することによって、有利に実現される。勿論、接着剤とローラ３６の弾性の両方を利用することも可能である。また、ローラ軸４０をスチール等の金属材によって形成し、ローラ３６の成形と同時に、ローラ３６とローラ軸４０を接着することも可能である。勿論、ローラ３６をローラ軸４０に接着する必要はなく、ローラ軸４０に対してローラ３６が回転するようになっていても良い。
【００２７】
このようにして、ローラ３６の中心孔３８に挿通固定されたローラ軸４０は、支持金具４２によってその中心軸線回りに回転可能な状態で支持されている。より詳細には、支持金具４２は、スチール等の金属材によって形成されており、一対の脚板部４４，４４が天板部４６によって連結された構造とされている。また、各脚板部４４には、第一乃至第四の挿通孔４８，５０（第二及び第三の挿通孔の図示は省略する）が形成されている。
【００２８】
そして、各脚板部４４に形成された第一の挿通孔４８に対して、ローラ軸４０の各軸方向端部が挿通されている。これにより、ローラ軸４０がその中心軸線回りに回転可能な状態で支持金具４２によって支持されていることとなり、その結果、ローラ３６がその中心軸線回りに回転可能な状態で、支持金具４２によって支持されていることとなる。
【００２９】
なお、ローラ軸４０には、各脚板部４４よりも軸方向外方において、Ｅリング５５が固定されており、それによって、ローラ軸４０の第一の挿通孔４８からの離脱が防止されている。
【００３０】
更にまた、本実施形態では、各脚板部４４に形成された第二及び第三の挿通孔のそれぞれに対して、ゴム製のガイドローラ５６が固定された支持軸５８の各軸方向端部が挿通されている。これにより、支持軸５８がその中心軸線回りに回転可能な状態で支持金具４２によって支持されていることとなり、その結果、ガイドローラ５６がその中心軸線回りに回転可能な状態で、支持金具４２によって支持されていることとなる。
【００３１】
そこにおいて、本実施形態では、これら二つのガイドローラ５６ａ，５６ｂのうち一方のガイドローラ５６ａよりも他方のガイドローラ５６ｂのほうが天板部４６側に位置せしめられている。
【００３２】
上述の如く、ローラ３６を一軸回りに回転可能に支持する支持金具４２は、固定金具６０によって変位可能に支持されている。より詳細には、固定金具６０は、スチール等の金属材によって形成されており、全体として、下側に向って開口する箱体構造とされている。また、固定金具６０において対向位置せしめられた一対の側壁部６２，６２のそれぞれには、ガイド孔６４が、深さ方向（図４中の上下方向）に延びる断面形状でもって、厚さ方向（図４の紙面に垂直な方向）に貫通形成されている。
【００３３】
このような構造とされた固定金具６０の下側開口から支持金具４２が挿通配置されるようになっている。そして、このように固定金具６０の下側開口から支持金具４２が挿通配置された状態で、支持金具４２の各脚板部４４に形成された第四の挿通孔５０と、固定金具６０の各側壁部６２に形成されたガイド孔６４に対して、ガイドロッド６６が挿通されている。これにより、ガイドロッド６６がガイド孔６４によって案内され得ることとなり、その結果、支持金具４２が固定金具６０の開口方向（深さ方向）で変位可能とされている。
【００３４】
また、上述の如く、固定金具６０の下側開口から支持金具４２が挿通配置された状態で、支持金具４２によって一軸回りに回転可能に支持された各ガイドローラ５６は、固定金具６０の内側壁面に当接している。そして、支持金具４２が固定金具６０の開口方向で変位した際、各ガイドローラ５６は、固定金具６０の内側壁面を転がるようになっている。
【００３５】
なお、ガイドロッド６６には、固定金具６０の各側壁部６２よりも外側の部分において、Ｅリング６８が固定されており、それによって、ガイドロッド６６のガイド孔６４乃至は第四の挿通孔５０からの離脱が防止されている。
【００３６】
また、本実施形態では、上述の如く、支持金具４２が固定金具６０の下側開口から挿通配置された状態で、固定金具６０の上底部７０と支持金具４２の天板部４６との間に付勢手段としてのコイルスプリング７２が配設されている。そこにおいて、本実施形態のコイルスプリング７２は圧縮性とされており、固定金具６０における下側開口の側の移動端にガイドロッド６６が位置せしめられた状態であっても、軸方向に圧縮されている。その結果、コイルスプリング７２による付勢力が、支持金具４２に対して、下側開口の側に向って常時及ぼされるようになっている。
【００３７】
このようにして、支持金具４２を変位可能に支持する固定金具６０は、中枠１８の下側横縁部３４の裏側において、その開口方向が鉛直方向となるようにして、ネジ等で固定されるようになっている。また、このように固定金具６０が中枠１８に固定された状態では、ローラ３６は中枠１８の下側横縁部３４の下端面よりも下方に突出しているが、その突出量は、支持金具４２の変位可能量よりも十分小さくされている。更にまた、固定金具６０が中枠１８に固定された状態では、一方のガイドローラ５６ａが中枠１８側に位置せしめられている。これにより、天板部４６に近い位置に配された他方のガイドローラ５６ｂが中枠１８とは反対側に位置せしめられることとなる。
【００３８】
なお、固定金具６０の中枠１８の上下方向（図４中の上下方向）での固定位置は、ローラ３６の外径寸法等によって適宜設定されるものであるが、中枠１８を閉じる作業を中枠１８を持ち上げつつ行わないで済むようにするためには、ローラ３６の回転中心軸線が外枠１４の下側横縁部７４の上面（本実施形態では、後述する転動板７６における一方の平坦部７８の上面）よりも上方にあることが望ましい。
【００３９】
また、本実施形態では、外枠１４の下側横縁部７４の右側端部付近において、スチール等の金属材によって形成された転動板７６がネジ等によって固定されている。そこにおいて、本実施形態の転動板７６は、長手方向中間部分の二箇所においてそれぞれ板厚方向で逆方向に折り曲げられており、全体として、一対の平坦部７８，８０が傾斜部８２によって連結された構造とされている。
【００４０】
そして、一方の平坦部７８が、外枠１４の下側横縁部７４の右側端部上面に形成された凹所８４に嵌め入れられてネジ固定されることによって、転動板７６が外枠１４の下側横縁部７４の右側端部にネジ固定されるようになっている。これにより、外枠１４の下側横縁部７４の上面と転動板７６における一方の平坦部７８の上面７９とが面一になっている。
【００４１】
そこにおいて、本実施形態では、このように転動板７６が固定された状態で、他方の平坦部８０は、一方の平坦部７８よりも鉛直方向下方に位置している。また、それに伴って、傾斜部８２の上面８６は、一方の平坦部７８側から他方の平坦部８０側に向って下る下り傾斜面とされている。
【００４２】
続いて、中枠１８を閉じる際のローラ３６の動きについて説明する。中枠１８を閉じてくると、先ず、図６に示されているように、ローラ３６が外枠１４の下側横縁部７４における手前側（作業者側となる、図６中の左側）の角（転動板７６における一方の平坦部７８の角）に当接する。
【００４３】
そして、中枠１８が更に閉められると、外枠１４の下側横縁部７４へのローラ３６の当接に伴う反力が作用して、図７に示されているように、ローラ３６が外枠１４の下側横縁部７４の上面（転動板７６における一方の平坦部７８の上面７９）に乗り上げるようになっている。
【００４４】
そこにおいて、本実施形態では、コイルスプリング７２の弾性が大きく設定されており、中枠１８の自重が作用してもコイルスプリング７２は殆ど縮むことなく実質的に固定状態とされている。従って、本実施形態では、ローラ３６が転動板７６における一方の平坦部７８の上面７９に乗り上げることにより、中枠１８の下側横縁部３４が外枠１４の下側横縁部７４に対して確実に持ち上げられることとなる。
【００４５】
このようにして、外枠１４の下側横縁部７４の上面（転動板７６における一方の平坦部７８の上面７９）に乗り上げたローラ３６は、中枠１８が更に閉じられると、外枠１４の下側横縁部７４の上面（転動板７６における一方の平坦部７８の上面７９）を転がるようになっている。その際、中枠１８の下側横縁部３４は外枠１４の下側横縁部７４に対して持ち上げられた状態が維持されている。
【００４６】
このような状態から更に中枠１８が閉じられると、ローラ３６が傾斜部８２の上面８６（下り傾斜面）を転がってゆく。これにより、中枠１８の下側横縁部３４が外枠１４の下側横縁部７４に対して持ち上げられている状態が徐々に解消されてゆくこととなる。そして、中枠１８が完全に閉じられた状態では、図８に示されているように、ローラ３６は他方の平坦部８０に落ち込むようになっている。また、このように中枠１８が完全に閉じられた状態では、中枠１８の下側横縁部３４が外枠１４の下側横縁部７４の直上に位置するようになっている。
【００４７】
なお、中枠１８を勢い良く閉じた場合には、図９に示されているように、ローラ３６が一方の平坦部７８に乗り上げるときに中枠１８を閉じた際の衝撃でコイルスプリング７２が縮むこととなり、それによって、中枠１８を勢い良く閉じた際の衝撃が緩和されるようになっている。そこにおいて、このようにコイルスプリング７２が縮んだりする際には、各ガイドローラ５６が固定金具６０の内側壁面を転がるようになっている。
【００４８】
上述の説明から明らかなように、本実施形態では、一方の平坦部７８の上面７９と傾斜部８２の上面８６によって案内面が構成されている。そして、本実施形態では、傾斜部８２の上面８６によって傾斜面が構成されている。
【００４９】
また、本実施形態では、他方の平坦部８０によって隙間縮小部８０が構成されている。そして、本実施形態では、ローラ３６が傾斜部８２の上面８２を下って、他方の平坦部８０に落ち込むことによって、ローラ３６が案内面（一方の平坦部７８の上面７９と傾斜部８２の上面８６）に接触している状態とは異なる状態が実現されるようになっている。
【００５０】
このような構造とされたパチンコ機１０においては、遊技盤２０が取り付けられ、更には、賞球タンク２２や上皿３０等に貯留された遊技球によって重量が増えた中枠１８の下側横縁部３４に取り付けられたローラ３６が外枠１４の下側横縁部７４に固定された転動板７６に当接することに伴う反力によって中枠１８が持ち上げられるようになっていることから、中枠１８を閉じる際に、中枠１８を持ち上げる力が軽減され、或いは、不要とされることとなり、その結果、中枠１８を閉じる作業を容易に且つスムーズに行うことが可能となる。
【００５１】
また、中枠１８を完全に閉じた状態では、ローラ３６が一方の平坦部７８よりも鉛直方向下方に位置する他方の平坦部８０上にあることから、中枠１８を完全に閉じた状態で中枠１８の下側横縁部３４と外枠１４の下側横縁部７４の間に形成される隙間を小さくすることが可能となる。
【００５２】
さらに、本実施形態では、ローラ３６が傾斜部８２の上面８６を転がってから他方の平坦部８０上に位置するようになっていることから、ローラ３６が他方の平坦部８０に落ち込む際に衝撃が発生しないようにすることが可能となる。
【００５３】
更にまた、本実施形態では、ローラ３６が鉛直方向に変位可能に支持されていることから、ローラ３６が変位可能であることによっても（衝撃緩和効果を奏しつつも）、中枠１８の開閉方向でのローラ３６の突出量を出来るだけ小さくすることが可能となり、それによって、中枠１８の下側横縁部３４の裏側に取り付けられたローラ３６が作業者の邪魔になり難いようにすることが可能となる。
【００５４】
また、本実施形態では、ローラ３６がゴム材料によって形成されていることから、ローラ３６自身の弾性を利用して、ローラ３６が外枠１４の下側横縁部７４に乗り上げた際の衝撃を緩和することが可能となる。
【００５５】
更にまた、本実施形態では、ローラ３６が鉛直方向で変位する際、二つのガイドローラ５６ａ，ｂが固定金具６０の内側壁面を転がるようになっていることから、ローラ３６の鉛直方向での変位を滑らかにすることが可能となる。
【００５６】
特に、本実施形態では、中枠１８側とは反対側に位置する他方のガイドローラ５６ｂが中枠１８側に位置する一方のガイドローラよりも天板部４６側に配されていることから、ローラ３６が外枠１４の下側横縁部７４に乗り上げる際の衝撃によって、支持金具４２をガイドロッド６６回りに回動せしめる外力が支持金具４２に作用した場合、ガイドローラ５６ａ，ｂが固定金具６０の内側壁面に押し付けられることとなる。これにより、ガイドローラ５６ａ，ｂが固定金具６０の内側壁面から離隔することを回避すると共に、支持金具４２の固定金具６０への接触を回避することが可能となる。その結果、支持金具４２が固定金具６０の上底側に変位する際、ガイドローラ５６ａ，ｂが固定金具６０の内側壁面に接触した状態を維持されて、支持金具４２の変位が滑らかに且つ安定して行われ得ることとなる。
【００５７】
また、本実施形態では、固定金具６０の内側壁面に当接している二つのガイドローラ５６ａ，ｂが何れもゴム製とされていることから、ローラ３６が外枠１４の下側横縁部７４に乗り上げた際の衝撃を、これらの二つのガイドローラ５６ａ，ｂによっても吸収することが可能となる。
【００５８】
続いて、本発明の第二の実施形態について、説明する。なお、以下の説明において、第一の実施形態と同様な構造とされた部材および部位については、図中に第一の実施形態と同一の符号を付すことにより、それらの詳細な説明を省略する。
【００５９】
本実施形態のパチンコ機においては、図１０および図１１に示されているように、外枠１４の下側横縁部７４にローラ３６が設けられている。より詳細には、ローラ３６は、外枠１４の下側横縁部７４に形成された凹所８８に嵌め込まれる支持金具９０によって、ローラ軸４０が回転可能に支持されていることで、その中心軸線回りに回転可能な状態で外枠１４の下側横縁部７４に設けられている。
【００６０】
そこにおいて、本実施形態では、このようにして外枠１４の下側横縁部７４に設けられたローラ３６は、外枠１４の下側横縁部７４の上面よりも上方に突出しているが、外枠１４の下側横縁部７４の前面（図１０中の左側の面）よりも前面側には突出していない。
【００６１】
また、本実施形態では、中枠１８を閉める際、中枠１８がローラ３６に対して最初に接触するように、外枠１４の下側横縁部７４においてその前面上側の角に面取りが施されている。
【００６２】
一方、中枠１８の下側横縁部３４には、その下面９２に開口する凹所９４が形成されている。
【００６３】
続いて、本実施形態での中枠１８を閉じる際の動きについて説明する。先ず、中枠１８を閉じてくると、図１０に示されているように、中枠１８の下側横縁部３４がローラ３６に接触する。この状態から、中枠１８を更に閉じると、図１２に示されているように、中枠１８がローラ３６に乗り上げることとなる。即ち、中枠１８の下面９２がローラ３６の外周面に接触することとなる。これにより、中枠１８が外枠１４に対して持ち上げられることとなる。
【００６４】
そして、中枠１８が完全に閉じられると、図１３に示されているように、ローラ３６が凹所９４内に位置するようになっている。これにより、中枠１８の下側横縁部３４が外枠１４の下側横縁部７４の直上に位置することとなる。なお、本実施形態では、中枠１８が完全に閉じられた状態で、ローラ３６は凹所９４の上底面に接触していない。
【００６５】
また、上述の如く、中枠１８を完全に閉じた状態で、ローラ３６が凹所９４内に位置することによって、即ち、ローラ３６の外周面が中枠１８の下面９２に接触しないようになることによって、中枠１８が外枠１４に対して持ち上げられていた状態が解消されるようになっている。
【００６６】
上述の説明から明らかなように、本実施形態では、中枠１８の下面９２によって案内面が構成されている。また、本実施形態では、凹所９４によって隙間縮小部が構成されている。そして、本実施形態では、ローラ３６が凹所９４内に位置することによって、ローラ３６が案内面（中枠１４の下面９２）に接触している状態とは異なる状態が実現されるようになっている。
【００６７】
以上、本発明の幾つかの実施形態について詳述してきたが、これらはあくまでも例示であって、本発明は、かかる実施形態における具体的な記載によって、何等、限定的に解釈されるものではない。
【００６８】
例えば、前記第一及び第二の実施形態では、外枠１４を固定側枠体とし、中枠１８を開閉側枠体とした場合について本発明を適用した一具体例を示したが、中枠１８を固定側枠体とし、ガラス扉２８を開閉側枠体とした場合について本発明を適用することも、勿論可能である。
【００６９】
また、前記第一の実施形態では、二つのガイドローラ５６ａ，ｂが設けられていたが、かかる二つのガイドローラ５６ａ，ｂは、必ずしも設ける必要はない。
【００７０】
さらに、前記第一の実施形態では、コイルスプリング７２の弾性が大きくされており、中枠１８を勢い良く閉じた場合にのみ、コイルスプリング７２が縮んで衝撃が緩和されるようになっていたが、例えば、中枠１８の自重が作用した場合にある程度縮むが、中枠１８の下側横縁部３４を持ち上げるだけの力を発生させるようにコイルスプリング７２の弾性を設定しておき、中枠１８を閉じる際には、いつも衝撃が緩和されるようにしても良い。
【００７１】
また、前記第一の実施形態において、転動板７６における他方の平坦部８０は必ずしも必要なものではない。このように他方の平坦部を削除した態様にあっては、中枠１８を閉じた状態にてローラ３６が傾斜部８２の上面８６から外れるため、この場合、傾斜部８２において上面８６と先端面との間の境界（換言すれば傾斜部８２の上面８６を途中で終わらせていること）を隙間縮小部として把握することが出来る。なお、他方の平坦部８０を削除した場合、傾斜部８２の下降端を延長することで、中枠１８を閉じた状態にてローラ３６が傾斜部８２の上面８６から外れないようにすることも出来る。この場合、傾斜部８２において上面８６の下降端付近を、隙間縮小部として把握することが出来る。
【００７２】
更にまた、前記第一の実施形態において、ガイド孔６４の延出方向（固定金具６０の深さ方向）の寸法を小さくしたり、或いは、ガイド孔６４に適当な部材を嵌め込むことによって、ガイドロッド６６の変位を規制するようにしても良く、それによって、ガイドロッド６６の過大な変位を回避することが可能となる。
【００７３】
また、前記第一の実施形態において、中枠１８に対して別体構造の固定金具６０を採用していたが、支持金具４２を変位可能に支持する部材を中枠１８に対して一体形成するようにしても良い。
【００７４】
さらに、前記第一の実施形態では、ローラ軸４０や支持軸５８は挿通孔に挿通支持されていたが、例えば、ローラ軸４０や支持軸５８を切欠に嵌め入れると共に、その切欠に適当な固定部材を固定することによって、軸を切欠と固定部材によって支持するようにしても良い。
【００７５】
更にまた、前記第一の実施形態において、外枠１４の下側横縁部７４における手前側の上側角部を面取りして傾斜面を形成するようにしても良い。これにより、ローラ３６の下側横縁部７４への乗り上げを有利に実現することが可能となり、また、ローラ３６が下側横縁部７４に乗り上げる際の衝撃を軽減することも可能となる。
【００７６】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００７７】
【図１】本発明の第一の実施形態としてのパチンコ機を示す正面図である。
【図２】図１に示されたパチンコ機が島設備に設置された状態を示す図面である。
【図３】図１に示されたパチンコ機において、中枠が開いた状態を示す斜視図である。
【図４】ローラの取付状態を示す断面図であって、図５におけるＩＶ−ＩＶ方向の断面に相当する図面である。
【図５】図４におけるＶ−Ｖ断面図である。
【図６】ローラが外枠の下側横縁部の角に接触している状態を説明する断面図であって、図５におけるＩＶ−ＩＶ方向に相当する断面図である。
【図７】ローラが外枠の下側横縁部に乗り上げた状態を示す断面図であって、図５におけるＩＶ−ＩＶ方向に相当する断面図である。
【図８】ローラが転動板における奥側の平坦部に落ち込んでいる状態を示す断面図であって、図５におけるＩＶ−ＩＶ方向に相当する断面図である。
【図９】ローラが外枠の下側横縁部に乗り上げた際にコイルスプリングが縮んでいる状態を示す断面図であって、図５におけるＩＶ−ＩＶ方向に相当する断面図である。
【図１０】本発明の第二実施形態のパチンコ機の要部を示す縦断面図であって、図１１のＸ−Ｘ方向の断面に相当する断面図である。
【図１１】図１０におけるＸＩ−ＸＩ断面図である。
【図１２】中枠がローラに乗り上げた状態を示す断面図であって、図１１のＸ−Ｘ方向の断面に相当する断面図である。
【図１３】中枠が完全に閉じた状態でのローラと凹所の位置関係を示す断面図であって、図１１のＸ−Ｘ方向の断面に相当する図面である。
【符号の説明】
【００７８】
１０  パチンコ機
１２  島設備
１４  外枠
１６  左側縦縁部
１８  中枠
３４  下側横縁部
３６  ローラ
７４  下側横縁部
７６  転動板
７８  平坦部
７９  上面
８０  平坦部
８２  傾斜部
８６  上面
【図１】
2006325710.tif 000003
【図２】
2006325710.tif 000004
【図３】
2006325710.tif 000005
【図４】
2006325710.tif 000006
【図５】
2006325710.tif 000007
【図６】
2006325710.tif 000008
【図７】
2006325710.tif 000009
【図８】
2006325710.tif 000010
【図９】
2006325710.tif 000011
【図１０】
2006325710.tif 000012
【図１１】
2006325710.tif 000013
【図１２】
2006325710.tif 000014
【図１３】
2006325710.tif 000015